(57)【要約】      （修正有）【課題】構造が簡単で、組み立て作業が容易なスナップイン構造による眼鏡のテンプル連結構造を提供する。【解決手段】ヨロイ４に設けたフック型連結部６は、内側方に向けて開口する導入溝９と、該導入溝９の内奥に連設されたピン支承凹部１０とを有し、ヒンジピン１４は、ばね性を有するテンプル５の先端部内側に一端が固着され、テンプル５に並設して前方へ延び、かつ、ばね性を有する支持アーム１２の他端に突設され、テンプル５の先端部分に連設された弾性ばね片１１がヒンジピン１４より前方へ延びている。支持アーム１２と弾性ばね片１１との間を押し拡げるように弾性変形させた姿勢において、ヒンジピン１４をフック型連結部６の導入溝９に挿入し、ピン支承凹部１０に嵌合して回動自在に支承させると、弾性ばね片１１がフック型連結部６の外側面に当接し、該弾性ばね片と支持アーム１２とでフック型連結部６を弾性的に挟持する構成である。【選択図】図５
2013148826.tif 000002
【特許請求の範囲】
【請求項１】
ヨロイに設けたフック型連結部に、テンプルの先端部に設けたヒンジピンが嵌脱自在に嵌合して枢支されるスナップイン構造の眼鏡のテンプル連結構造であって、
前記フック型連結部は、内側方に向けて開口する導入溝と、該導入溝の内奥に連設されたピン支承凹部とを有し、
前記ヒンジピンは、ばね性を有するテンプルの先端部内側に一端が固着され、前記テンプルに並設して前方へ延び、かつ、ばね性を有する支持アームの他端に突設され、
前記テンプルの先端部分に連設された弾性ばね片が前記ヒンジピンより前方へ延びており、
前記支持アームと前記弾性ばね片との間を押し拡げるように弾性変形させた姿勢において、前記ヒンジピンを前記フック型連結部の前記導入溝に挿入し、前記ピン支承凹部に嵌合して回動自在に支承させると、前記弾性ばね片が前記フック型連結部の外側面に当接し、該弾性ばね片と前記支持アームとで前記フック型連結部を弾性的に挟持する構成であることを特徴とする眼鏡のテンプル連結構造。
【請求項２】
前記支持アームが、前記テンプルの先端部内側面に固着される取付け部材と一体に形成され、前記テンプルに並設して前方へ延び、該支持アームの先端部分に一対のヒンジピンが上下方向に突出して設けられていることを特徴とする請求項１記載の眼鏡のテンプル連結構造。
【請求項３】
前記フック型連結部が、上下に相対する一対の連結片と、両連結片の外側縁を連結する外側片とで断面形状コ字形に形成され、前記一対の連結片にそれぞれ、前記一対のヒンジピンが嵌合する前記導入溝と前記ピン支承凹部が設けられていることを特徴とする請求項２記載の眼鏡のテンプル連結構造。
【発明の詳細な説明】
【技術分野】
【０００１】
本発明は、ねじ蝶番を使用せず、ヨロイに設けたフック型連結部に、テンプルの先端部に設けたヒンジピンが嵌脱自在に嵌合して枢支されるスナップイン構造による眼鏡のテンプル連結構造に関するものである。
【背景技術】
【０００２】
従来、スナップ構造による眼鏡のテンプル連結構造については、種々の構造のものが、提案されている（例えば、特許文献１及び特許文献２参照）。
【０００３】
特許文献１（特開２０００−９８３０９号公報）に記載されている眼鏡のテンプル連結構造は、ヨロイに作用する力が許容範囲を越えたとき、テンプルが外れるようにした単純なスナップイン構造を採用している。
【０００４】
一方、特許文献２（特開２００２−２６８０１７号公報）に記載されている眼鏡のテンプル連結構造は、ヨロイと一体をなす弾性ばね部の復元作用によってテンプルの脱落、がたつきを防ぐようにしたスナップイン構造を備えている。しかし、テンプルに付勢力を与える弾性ばね部をヨロイと一体とした構成とするため、ヨロイの製造加工が複雑で手間を要し、製造コストが高くなり、商品化が困難である。
【発明の概要】
【発明が解決しようとする課題】
【０００５】
本発明の課題は、構造が簡単で、組み立て作業が容易であり、製造コストの低減と軽量化を図ったスナップイン構造による眼鏡のテンプル連結構造を提供することにある。
【０００６】
また、本発明の課題は、ばね性を有するテンプルの取り付け取り外しが容易に行なえ、しかも、装着時におけるテンプルの脱落、がたつきを確実に防ぐことができる安定性の高いスナップイン構造による眼鏡のテンプル連結構造を提供することにある。
【課題を解決するための手段】
【０００７】
上記課題を解決するために、本発明は、以下の技術的手段を採用したものである。
【０００８】
請求項１に係る発明は、ヨロイに設けたフック型連結部に、テンプルの先端部に設けたヒンジピンが嵌脱自在に嵌合して枢支されるスナップイン構造による眼鏡のテンプル連結構造であって、前記フック型連結部は、内側方に向けて開口する導入溝と、該導入溝の内奥に連設されたピン支承凹部とを有し、前記ヒンジピンは、ばね性を有するテンプルの先端部内側に一端が固着され、前記テンプルに並設して前方へ延び、かつ、ばね性を有する支持アームの他端に突設され、前記テンプルの先端部分に連設された弾性ばね片が前記ヒンジピンより前方へ延びており、前記支持アームと前記弾性ばね片との間を押し拡げるように弾性変形させた姿勢において、前記ヒンジピンを前記フック型連結部の前記導入溝に挿入し、前記ピン支承凹部に嵌合して回動自在に支承させると、前記弾性ばね片が前記フック型連結部の外側面に当接し、該弾性ばね片と前記支持アームとで前記フック型連結部を弾性的に挟持する構成であることを特徴とする。
【０００９】
請求項２に係る発明は、前記支持アームが、前記テンプルの先端部内側面に固着される取付け部材と一体に形成され、前記テンプルに並設して前方へ延び、該支持アームの先端部分に一対のヒンジピンが上下方向に突出して設けられていることを特徴とする。
【００１０】
請求項３に係る発明は、請求項２に係る発明において、前記フック型連結部が、上下に相対する一対の連結片と、両連結片の外側縁を連結する外側片とで断面形状コ字形に形成され、前記一対の連結片にそれぞれ、前記一対のヒンジピンが嵌合する前記導入溝と前記ピン支承凹部が設けられていることを特徴とする。
【発明の効果】
【００１１】
以上のように、本発明によれば、ばね性を有するテンプルの先端部内側に一端が固着され、前記テンプルに並設して前方へ延び、かつ、ばね性を有する支持アームの他端にヒンジピンが突設され、該ヒンジピンを、前記支持アームと前記テンプルの先端部分に連設された弾性ばね片との間を押し拡げるように弾力変形させた姿勢において、ヨロイに設けた前記フック型連結部の前記導入溝に挿入し、前記ピン支承凹部に嵌合して回動自在に支承させると、前記ヒンジピンより前方へ延びる前記弾性ばね片と前記支持アームとで、前記フック型連結部を弾性的に把持する構成であるから、前記テンプルのヨロイに対する取り付け取り外しが容易に行なえるものでありながら、眼鏡装着時に前記テンプルの脱落、がたつきを確実に防ぐことができ、安定性の高いテンプル連結構造が得られる。
【００１２】
しかも、本発明のテンプル連結構造は、構造が簡単で、部品点数も少なく、組み立て作業が容易であるから、製造コストの低減と軽量化を図ることが可能である。
【００１３】
さらに、前記テンプルが、その先端部分に連設された前記弾性ばね片の弾性復元力によって、眼鏡装着時に側頭部へのフィット感を高めるので、従来のばね付き蝶番と同等の効果が得られる。
【図面の簡単な説明】
【００１４】
【図１】本発明によるテンプル連結構造を適用した眼鏡フレームの平面図である。
【図２】同上正面図である。
【図３】本発明に係るテンプル連結構造の構成要部を示す斜視図である。
【図４】同上テンプル先端部分の構成部品を示す斜視図である。
【図５】同上テンプルの先端部分に設けたヒンジピンをヨロイのフック型連結部に嵌合して連結する作業工程を示す説明図である。
【図６】同上テンプルをレンズ枠に対して折り畳んだ状態を示す要部平面図である。
【発明を実施するための形態】
【００１５】
以下、本発明の実施の形態を図面に基づいて説明する。
【００１６】
図１及び図２は、本発明に係るテンプル連結構造を備えた眼鏡フレーム１を示している。該眼鏡フレーム１は、連結部３の両側に左右対称に取り付けられたレンズ枠２，２と、該レンズ枠２，２の両端に一体に形成されたヨロイ４，４と、該ヨロイ４，４に折り畳み自在に連結されたテンプル５，５とを有する基本的構成において、従来の眼鏡フレームと共通している。
【００１７】
本発明に係るテンプル連結構造はスナップイン構造とするため、ヨロイ４には、図３に示すように、フック型連結部６が設けられている。該フック型連結部６は、上下に相対する一対の連結片７，７と、両連結片７，７の外側縁を連結する外側片８とで断面形状コ字形に形成され、一対の連結片７，７にそれぞれ、後述する一対のヒンジピン１４，１４が嵌合する導入溝９とピン支承凹部１０が設けられている。導入溝９は内側方に向けて開口し、該導入溝９の内奥にピン支承凹部１０が連設されている。なお、ここに内側方とは、眼鏡を装着する時に装着者の側頭部に対向する方向をいう。また、図５（ａ）に示すように、ピン支承凹部１０からフック型連結部６の先端までの距離Ｄが、後述する支持アーム１２と弾性ばね片１１との間隔Ｃより大きく形成されている。
【００１８】
一方、テンプル５は、ステンレス鋼板等のばね性を有する金属板材で製造され、先端部分にさらに前方へ延びる弾性ばね片１１が連設されている。該弾性変形ばね片１１は、テンプル５と一体に形成され、かつ、テンプル５より厚みを薄くして容易に弾性変形できる構成とされている。なお、弾性ばね片１１はテンプル５と別体に製作して、テンプル５の先端部分に接合することも可能である。
【００１９】
また、テンプル５の先端部分内側には、ばね性を有する支持アーム１２が弾性ばね片１１の内側面に対して所定の間隔Ｃを隔ててテンプル５及び弾性ばね片１１に並設されている（図５（ａ）参照）。該支持アーム１２は、一端（後端）がテンプル５の先端部内側面に固着された取付け部材１３と一体に形成されていて、テンプル５に並設して前方へ延び、かつ、他端（先端部分）に一対のヒンジピン１４，１４が上下方向に突出して設けられている。ヒンジピン１４，１４は角ピンに形成されているが、丸ピンに形成してもよい。取付け部材１３は、図４に示すように、かしめピン１５，１５を用いてテンプル５の先端部内側面に固着されるが、ろう付け、溶接その他の接合手段によりテンプル５に固着してもよい。このように、取付け部材１３をテンプル５の先端部内側面に固着して、支持アーム１２がテンプル５に並設されたとき、該テンプル５の先端部分に連結して前方へ延びる弾性ばね片１１がヒンジピン１４，１４よりさらに前方へ延びる構成とされている（図５（ａ）参照）。
【００２０】
図５は、テンプル５をヨロイ４に連結する組み立て作業工程を示している。先ず、図５（ａ）に矢印Ａ，Ｂで示すように、支持アーム１２と弾性ばね片１１との間を押し拡げるように弾性変形させ、拡げた空間にヨロイ４のフック型連結部６を押し込んで、ヒンジピン１４，１４をフック型連結部６の導入溝９，９に挿入し、さらに内奥のピン支承凹部１０，１０に嵌合して回動自在に支承させると、図５（ｂ）に示すように、弾性ばね片１１が弾性変形してヨロイ４の外側面に当接し、該弾性ばね片１１と支持アーム１２とでヨロイ４のフック型連結部６を弾性的に挟持した状態でテンプル５がヨロイ４に連結される。したがって、テンプル５は脱落やがたつくことなく、ヨロイ４に対して安定した姿勢で回動可能に連結される。しかも、眼鏡装着時にテンプル５を外側方へ押し拡げると、弾性ばね片１１の弾性復元力によって側頭部へのフィット感が高められ、従来のばね蝶番と同等の効果が得られる。一方、テンプル５を交換、修理等のためヨロイ４から取り外す場合には、取り付け時と同様に支持アーム１２と弾性ばね片１１との間を拡げるように弾性変形させ、ヒンジピン１４，１４をフック型連結部６から離脱させることによって、容易に取り外すことが可能である。
【００２１】
図６は、テンプル５を折り畳んで状態を示しており、弾性ばね片１１の弾性復元力によってテンプル５がレンズ枠２側へ付勢され、不測にテンプル５が開き位置側へ回動することが防がれている。特に、図示の実施例ように、ヨロイ４のピン支承凹部１０からフック型連結部６の先端までの距離Ｄが、支持アーム１２と弾性ばね片１１との間隔Ｃより大きく設定されていると、弾性ばね片１１の弾性復元力が大きくなって、テンプル５に対する付勢力が増大し、テンプル５をより確実に折り畳み位置に保持させることができる。
【符号の説明】
【００２２】
１  眼鏡フレーム
２  レンズ枠
３  連結部
４  ヨロイ
５  テンプル
６  フック型連結部
７  連結片
８  外側片
９  導入溝
１０  ピン支承凹部
１１  弾性ばね片
１２  支持アーム
１３  取付け部材
１４  ヒンジピン
１５  かしめピン
【先行技術文献】
【特許文献】
【００２３】
【特許文献１】特開２０００−９８３０９号公報
【特許文献２】特開２００２−２６８０１７号公報
【図１】
2013148826.tif 000003
【図２】
2013148826.tif 000004
【図３】
2013148826.tif 000005
【図４】
2013148826.tif 000006
【図５】
2013148826.tif 000007
【図６】
2013148826.tif 000008